(57)【特許請求の範囲】
【請求項１】
サイン・ディスプレイの配灯システムにおいて実行される配灯および積算方法であって、コンピュータによる積算処理の基礎データとなる、サイン・ディスプレイの形状、サイズに適用したい光源の種類、配灯ピッチなどの配灯条件を設定し、光束、照度、等の照度データを設定し、ディスプレイ輪郭内に対する、光源の均一配灯、デザイン化配灯、ランダム配灯、等の光源配置タイプを選択し、前記配灯条件、前記照度データ、および、前記光源配置タイプから光源個数を算出し、前記光源個数に基づき、必要とする電圧Ｖ、電流Ａ、消費電力Ｗなどの電気的特性数値を算出し、サイン・ディスプレイの制作に必要とされる各種の数値積算および光源の配灯処理を自動的に行なうことを特徴とする配灯および積算方法。
【請求項２】
光の照射された面の明るさの分布を表す照度分布グラフまたは照度分布図を作成する機能が備わっていることを特徴とする請求項１に記載の配灯および積算方法。
【発明の詳細な説明】
【発明の詳細な説明】
【技術分野】
【０００１】  本発明はコンピュータを利用してサイン・ディスプレイにおける照明システムの光源を自動的に配置するとともに、配置した数量を積算し表示する、照明システム製作時の光源配灯および照度分布図面の作成に関するものである。
【背景技術】
【０００２】  従来のサイン・ディスプレイ照明システムの光源配灯図面の作成には、市販されているＣＡＤデータ作成ソフトやドローイングソフトを用いられることが大半であり、そのいずれにおいても光源の配灯図面の作成に特化されたものではないため、照明の配灯に必要な条件（配灯ピッチ等）によって配灯図面の設計を行えるものではなく、その市販ソフトの操作を覚えた作業者が光源を図面上に一つ一つ配灯していくため、作業者のスキルや好みにより配灯光源の数量や配灯箇所にバラツキが生じ、均一化された図面作成を行うことが難しく、かつ、時間を要した。【０００３】  コンピュータによる照明器具などの配置および照明出力を決定する方法として照明設計支援方法が特許文献１において開示されているが、照明を受ける空間内で照度値が異なる場合に、目標照度値を達成するのに必要な各照明器具の調光率を計算し、照明器具の配置と出力を決定して空間内照明効率を適切なものとするもので、サイン・ディスプレイのような表示装置における照明とはその目的が異なる。【０００４】  また、特許文献２においても各種の数値をデータベース化して照明器具の光束等に基いて照明器具の個数を決定したり、照明器具の配置を決定する照明設計装置およびその方法が開示されているが、これらの決定配置による建物内の照明状態を計算するシステムで、サイン・ディスプレイの配灯システムに応用できるものではない。
【先行技術文献】
【特許文献】
【０００５】
【特許文献１】特開２０１１−１２８８８７
【特許文献２】特開２００９−９４７５
【発明の概要】
【発明が解決しようとする課題】
【０００６】  情報表示、装飾表示、広告表示等に使用されるサイン・ディスプレイにおける配灯方法を実行する際に光源の配置想定図面の作成を行わないと必要数量の算出を行うことができず、パソコンを用いてもパソコン上で光源を一つ一つ手作業で配置していく必要があり、配置処理に時間がかかり、また配置数量の算出も人が数えることになり人的ミスが生じるおそれがあり、効率的に積算を行うことができないなど、種々の不都合があり、効率性のある速やかな算出方法が必要となる。
【課題を解決するための手段】
【０００７】  本発明は、配灯すべきサイン・ディスプレイの図面をＣＡＤデータとしてパソコンに取り込み、配灯方法の基礎となる光源の配灯ピッチ、照度などの条件および電気的諸特性を入力・計算させて光源の配置処理から必要数量の算出までを自動化することにより人の手を介すことのない方法により光源の配灯図面の作成と数量の算出を行う。
【発明の効果】
【０００８】  本発明において実行する方法では光源の種類を限定せずに様々な形状の照明システムに合わせて自動化する複数のプロセスを持ち合わせており、各種の照明システムの形状や用途の変化に対しても即座に対応できる自動配灯化処理を可能とする。また、本発明によれば、作業者の癖やスキルによる配灯結果のバラツキをなくすとともに数え間違えなどの人的ミスを防ぎ、作業時間を掛けずにサイン・ディスプレイ照明システムの光源の配灯図面を作成することができるともに、図面の設計段階で想定光源の実装の可否や照明精度、照明ムラ、発生影の想定などを、製図段階での光源コストとともに把握できるようになり、照明システム設計者、施工会社および発注者に亘って信頼できる照明システムの配灯図面を作成できるものである。
【図面の簡単な説明】
【０００９】
【図１】本発明の配灯システムのフローチャートである。
【図２】シンプルな幾何図形の形状を有するサイン・ディスプレイに対する光源配灯例を示した図である。
【図３】文字形状に沿って光源を配灯した例を示す図である。
【図４】自由形状の輪郭とした枠の中に光源を配灯した例を示す図である。
【図５】サイン・ディスプレイの配灯枠内にランダムに光源を配灯した例を示す図である。
【発明を実施するための形態】
【００１０】  図１は本発明を実施する場合の処理ステップの概要を示すフローチャートである。
この図１に示す流れに基いて以下の各態様について説明する。
【００１１】配灯および積算方法の基本的な処理手順としては、作成すべきサイン・ディスプレイについての特定されたデザインを決定し、それに対する形状、寸法、照度データ（光束・照度）等のデータを配灯プログラムに入力し、必要とされる光源の仕様（電圧Ｖ・電流Ａ・消費電力Ｗ等の電気的特性）を入力、登録をして、次に、対象となるサイン・ディスプレイの形状に適した光源の種類を選択して積算作業を行なう。
【実施例１】
【００１２】  実施態様の１として四角形または丸型などシンプルな形状のサイン・ディスプレイに対する配灯設計および積算方法について説明する。【００１３】  図２はシンプルな形状の配灯例として、四角形のサイン・ディスプレイ１を示している。この四角形ディスプレイ１の配灯設計および積算方法は以下の手順により実現される。【００１４】  ＳＴＥＰ１：作成対象となるサイン・ディスプレイ１の縦・横・奥行寸法を入力する。【００１５】  ＳＴＥＰ２：配灯条件を入力または選択する。ここで配灯条件とは光源２の種類、配灯ピッチ３、ディスプレイサイズに対する配灯領域の割当て等の諸条件を指す。【００１６】  ＳＴＥＰ３：自動配置の実行処理を行なうステップで、ＳＴＥＰ１により入力した数値情報に対し、ＳＴＥＰ２により入力した情報に基づき、対象となるサイン・ディスプレイ１内に配置される光源２の数量を、自動的に算出する。算出された数量の光源２がサイン・ディスプレイ１内に均一またはＳＴＥＰ２の情報に基づき適切に配置されるように自動補正し、図面上に配灯する。【００１７】  ＳＴＥＰ４：配灯光源数量の集計処理【００１８】  ＳＴＥＰ５：配灯したサイン・ディスプレイ１の電圧Ｖ・電流Ａ・消費電力Ｗなどの電気的特性数値の集計【００１９】  ＳＴＥＰ６：配灯したサイン・ディスプレイ１の照度数値の集計【００２０】  ＳＴＥＰ７：配灯用図面及び照度分布グラフ（照度分布図）の完成。
【実施例２】
【００２１】  図３のように、看板などにおいて多用されるチャンネル文字のような複雑な形状で光源２の配置が特殊なサイン・ディスプレイ４の場合の配灯設計は以下の実行処理方法により作成される。【００２２】  ＳＴＥＰ１：対象となるサイン・ディスプレイ４図面（下絵）のＣＡＤデータまたはスキャンデータとして電子化された図面をパソコンに取り込む。【００２３】  ＳＴＥＰ２：サイン・ディスプレイ４図面を所定のサイズにリサイズする（図面縮尺を合わせる）。またはトレースする。【００２４】  ＳＴＥＰ３：サイン・ディスプレイ４のチャンネル文字を構成する光源２配置想定箇所に線を引く。【００２５】  ＳＴＥＰ４：ＳＴＥＰ３で引いた線を選択する。【００２６】  ＳＴＥＰ５：配灯条件を入力または選択する。ここで配灯条件とは光源の種類、配灯ピッチ３、ディスプレイサイズに対する配灯領域の割当ておよび配灯分布等の諸条件を指す。【００２７】  ＳＴＥＰ６：自動配置の実行（ＳＴＥＰ３およびＳＴＥＰ４により引いた線の形状・寸法情報に対し、ＳＴＥＰ５により入力した情報に基づき、対象となるサイン・ディスプレイ４内に配置される光源２の数量を自動的に算出する。
算出された数量の光源２がサイン・ディスプレイ４内に均一またはＳＴＥＰ３の情報に基づき適切に配置されるように自動補正し、図面上に配灯される。）【００２８】  ＳＴＥＰ７：配灯光源数量の集計【００２９】  ＳＴＥＰ８：配灯したサイン・ディスプレイ４の電圧Ｖ・電流Ａ・消費電力Ｗなどの電気的特性数値の集計【００３０】  ＳＴＥＰ９：配灯したサイン・ディスプレイ４の照度数値の集計【００３１】  ＳＴＥＰ１０：チャンネル文字用サイン・ディスプレイ４の配灯用図面及び照度分布グラフ／照度分布図（図示略）の完成。
【実施例３】
【００３２】  図４のようにロゴマーク等の自由形状の輪郭を有するサイン・ディスプレイ５の場合【００３３】  ＳＴＥＰ１：対象となるサイン・ディスプレイ５図面（下絵）のＣＡＤデータまたスキャンデータ等に電子化された図面をパソコンに取り込む。【００３４】  ＳＴＥＰ２：サイン・ディスプレイ５図面を所定のサイズにリサイズする（図面縮尺を合わせる）、またはトレースする。【００３５】  ＳＴＥＰ３：サイン・ディスプレイ５の光源２配置想定箇所の縁を選択する。【００３６】  ＳＴＥＰ４：配灯条件を入力または選択する。ここで配灯条件とは光源２の種類、配灯ピッチ３、ディスプレイサイズに対する配灯領域の割当ておよび配灯分布等の諸条件を指す。【００３７】  ＳＴＥＰ５：自動配置の実行処理段階で、ＳＴＥＰ３により選択した縁の形状・寸法情報に対し、ＳＴＥＰ４により入力した情報に基づき、対象となるサイン・ディスプレイ５内に配置される光源２の数量を自動的に算出する。
算出された数量の光源２がサイン・ディスプレイ５内に均一またはＳＴＥＰ４の情報に基づき適切に配置されるように自動補正し、図面上に配灯される。【００３８】  ＳＴＥＰ６：配灯光源２数量の集計【００３８】  ＳＴＥＰ７：配灯したサイン・ディスプレイ５の電圧Ｖ・電流Ａ・消費電力Ｗなどの電気的特性数値の集計【００４０】  ＳＴＥＰ８：配灯したサイン・ディスプレイ５の照度数値の集計【００４１】  ＳＴＥＰ９：自由形状輪郭のサイン・ディスプレイ５についての配灯用図面および照度分布グラフ／照度分布図（図示略）の完成。
【実施例４】
【００４２】  図５のようにサイン・ディスプレイ６の配灯領域内にランダムなあるいはデザイン化した特殊な光源２配置をする場合【００４３】  ＳＴＥＰ１：対象となるサイン・ディスプレイ６図面（下絵）のＣＡＤデータまたスキャンデータ等に電子化された図面をパソコンに取り込む。【００４４】  ＳＴＥＰ２：サイン・ディスプレイ６図面を所定のサイズにリサイズする（図面縮尺を合わせる）。またはトレースする。【００４５】  ＳＴＥＰ３：サイン・ディスプレイ６の光源２配置想定箇所を例えば均等分散配灯であるか、あるいは外周辺部、中央部等における光源種類などについてデザイン化された配灯を考慮してマーキングまたは直接光源図を配置する。【００４６】  ＳＴＥＰ４：配灯条件を入力または選択する。ここで配灯条件とは光源の種類、配灯ピッチなどのほかに、ディスプレイサイズに対する配灯領域の割当ておよび配灯分布等の諸条件を指す。【００４７】  ＳＴＥＰ５：自動配置の実行（ＳＴＥＰ３によりマーキングまたは配置した情報に対し、ＳＴＥＰ４により入力した情報に基づき、対象となるサイン・ディスプレイ６内に配置される光源の数量を自動的に算出する。）【００４８】  ＳＴＥＰ６：配灯光源２数量の集計【００４９】  ＳＴＥＰ７：配灯したサイン・ディスプレイ６の電圧Ｖ・電流Ａ・消費電力Ｗなどの電気的特性数値の集計【００５０】  ＳＴＥＰ８：配灯したサイン・ディスプレイ６の照度数値の集計【００５１】  ＳＴＥＰ９：配灯用図面及び照度分布グラフ／照度分布図（図示略）の完成。
【符号の説明】
【００５２】１  シンプル形状サイン・ディスプレイ
２  光源
３  配灯ピッチ
４  チャンネル文字サイン・ディスプレイ
５  自由輪郭形状サイン・ディスプレイ
６  ランダム光源配置サイン・ディスプレイ
【要約】
【課題】  看板、情報表示装置などのサイン・ディスプレイ装置の光源配灯方法においていかなる輪郭形状のディスプレイに対しても手作業に頼ることなく効率的、かつ迅速的に配灯設計支援をすることのできるシステムを提供する。
【解決手段】  作成すべきサイン・ディスプレイの形状、サイズ、光源の種類、配灯ピッチ、光束、照度、配灯光源の種類、等のデータ入力することにより光源配置を設定し、光源個数を算出し、この算出集計情報に基づき、必要とする電圧Ｖ、電流Ａ、消費電力Ｗなどの電気的特性数値を算出し、これらの算出データを基礎として、光源の配灯処理および必要とされる各種の数値積算を自動的に行なう。
【選択図】図１【図１】
0005557202.tif 000002
【図２】
0005557202.tif 000003
【図３】
0005557202.tif 000004
【図４】
0005557202.tif 000005
【図５】
0005557202.tif 000006